(57)【特許請求の範囲】
【請求項１】
梁の下側主筋およびあばら筋がコンクリート体に打ち込まれたハーフプレキャスト鉄筋コンクリート梁について、梁の上側主筋を移動するための移動治具であって、
前記コンクリート体の上面に載置された台座部と、
前記上側主筋が載置される複数の溝が形成されて前記梁の長さ方向に直列に配置された一対のローラと、
前記台座部から上方に延びて当該各ローラを回転可能に軸支するそれぞれ一対の軸受け部と、を備え、
前記台座部の底面には、前記コンクリート体の表面の凹凸に食い込む粘弾性体が設けられていることを特徴とする移動治具。
【請求項２】
梁の下側主筋およびあばら筋がコンクリート体に打ち込まれたハーフプレキャスト鉄筋コンクリート梁について、梁の上側主筋を配筋する配筋方法であって、
前記コンクリート体の上面に、請求項１に記載の移動治具を載置する工程と、
当該移動治具のローラ上に前記上側主筋を載置する工程と、
当該上側主筋を移動させる工程と、を備えることを特徴とする配筋方法。
【発明の詳細な説明】
【技術分野】
【０００１】
本発明は、移動治具およびこの移動治具を用いた配筋方法に関する。
【背景技術】
【０００２】
従来より、柱梁架構を構築する際、梁の下部をプレキャストコンクリート化したハーフプレキャスト梁（以下、ハーフＰＣａ梁）を用いる場合がある（特許文献１参照）。
例えば、柱の柱頭部に４本のハーフＰＣａ梁を取り付ける場合、以下の手順で施工する。まず、柱の頂部に、先付け梁として、互いに対向して２本のハーフＰＣａ梁を取り付ける。次に、これらハーフＰＣａ梁の下側主筋同士を機械式継手で接合する。次に、後付け梁として、先付け梁に略直交する２本のハーフＰＣａ梁を取り付ける。
【０００３】
このとき、先付け梁の上側主筋が後付け梁の下側主筋に干渉しないように、先付け梁の上側主筋をパネルゾーンから退避させておく。そして、後付け梁を取り付けた後、この退避させた上側主筋を移動して、パネルゾーン内に配筋する。
ここで、上側の梁主筋の移動は、プレキャストコンクリート部分の上面を摺動させて行う。
【０００４】
しかしながら、一般に、梁主筋が太径サイズになると、直径が２２ｍｍや２５ｍｍ程度の使用頻度の多い鉄筋に比べて、鉄筋自体の重量が重くなるので、梁主筋となる鉄筋をあばら筋に結束する所定位置まで移動させることは容易ではなく、移動にかなりの手間がかかっていた。さらに、プレキャストコンクリート部分の上面は、コンクリートの打継部分となるため、適度に目荒し処理が施されているので、滑りが悪く、鉄筋を所定位置まで移動してあばら筋と結束させる配筋作業を行う際、作業員に大きな負担がかかっていた。
【０００５】
この問題を解決するため、例えば、以下のような移動治具が提案されている（特許文献２参照）。すなわち、移動治具は、あばら筋の上に載置される支持板と、この支持板から下方に延びる一対の垂下板と、これら一対の垂下板に回転可能に支持されるローラと、を備える。
この移動治具によれば、ローラ上に上側の梁主筋を載せて移動すると、ローラが回転するから、軽い力で容易に梁主筋を移動できる。
【先行技術文献】
【特許文献】
【０００６】
【特許文献１】特許第３９７９９３６号公報
【特許文献２】特許第４１２８１３７号公報
【発明の概要】
【発明が解決しようとする課題】
【０００７】
しかしながら、以上の移動治具では、梁主筋をローラに載せて移動した際、梁主筋がローラに引っ掛かって、あばら筋上の支持板の位置がずれてしまい、梁主筋を円滑に移動できない場合があった。
【０００８】
本発明は、梁主筋を円滑に移動できる移動治具および配筋方法を提供することを目的とする。
【課題を解決するための手段】
【０００９】
本発明の移動治具（例えば、後述の移動治具２０）は、梁（例えば、後述の梁３）の下側主筋（例えば、後述の下側主筋１２）およびあばら筋（例えば、後述のあばら筋１３）がコンクリート体（例えば、後述のコンクリート体１１）に打ち込まれたハーフプレキャスト鉄筋コンクリート梁（例えば、後述のハーフＰＣａ梁１０）について、梁の上側主筋（例えば、後述の上側主筋１４）を移動するための移動治具であって、前記コンクリート体の上面に載置された台座部（例えば、後述の台座部２１）と、前記上側主筋が載置されるローラ（例えば、後述のローラ２２）と、前記台座部から上方に延びて当該ローラを回転可能に軸支する軸受け部（例えば、後述の軸受け部２３）と、を備え、前記台座部の前記コンクリート体に接する部分は、粘弾性体（例えば、後述の粘弾性体２４）であることを特徴とする。
【００１０】
この発明によれば、移動治具をハーフプレキャスト鉄筋コンクリート梁のコンクリート体の上に載置して、この移動治具のローラ上に梁の上側主筋を載せる。そして、この上側主筋を人手で水平方向に押すと、ローラが回転するので、上側主筋を少ない労力で容易に移動できる。
【００１１】
ここで、台座部のコンクリート体に接する部分は、摩擦係数を高めるために、粘弾性体とした。凹凸の大きいコンクリート体の上面に台座部を載置すると、粘弾性体が変形してコンクリート体の表面の凹凸に食い込む。よって、ローラ上に載せた上側主筋を押した場合に、移動治具の位置や姿勢がずれるのを防止して、上側主筋を円滑に移動できる。
【００１２】
移動治具をコンクリート体の上面に載置し、この移動治具のローラ上に上側主筋を載せるだけでよいので、移動治具は、あばら筋の形状や寸法に係わらず対応可能である。
【００１３】
さらに本発明の移動治具は、前記軸受け部は、前記ローラの上面よりも高い位置まで延びて主筋規制部となっていることを特徴とする。
【００１４】
この発明によれば、軸受け部をローラの上面よりも高い位置まで延長して主筋規制部としたので、主筋規制部が上側主筋の側面を押さえて、上側主筋の横方向の移動を拘束し、ローラ上から脱落するのを防止できる。
【００１５】
また、さらに本発明の移動治具は、前記ローラには、当該ローラの回転方向に沿って溝（例えば、後述の溝２５）が形成されていることを特徴とする。
【００１６】
この発明によれば、ローラに溝を設けたので、ローラ上の上側主筋を溝に嵌め込んだ状態で移動することで、上側主筋の移動を溝がガイドして、ローラ上の上側主筋の横方向の移動を拘束し、上側主筋がローラ上から脱落するのを防止できる。
【００１７】
また、さらに本発明の配筋方法は、梁の下側主筋およびあばら筋がコンクリート体に打ち込まれたハーフプレキャスト鉄筋コンクリート梁について、梁の上側主筋を配筋する配筋方法であって、前記コンクリート体の上面に、請求項１または２に記載の移動治具を載置する工程と、当該移動治具のローラ上に前記上側主筋を載置する工程と、当該上側主筋を移動させる工程と、を備えることを特徴とする。
【００１８】
この発明によれば、以下のような効果がある。
移動治具の設置位置は特に限定されず、ハーフプレキャスト鉄筋コンクリート梁のコンクリート体の上面であれば、どの位置にも移動治具を載置できる。また、この移動治具を、隣接するあばら筋同士の隙間から、容易に設置あるいは撤去できる。
【発明の効果】
【００１９】
本発明によれば、台座部のコンクリート体に接する部分を粘弾性体とした。凹凸の大きいコンクリート体の上面に台座部を載置すると、粘弾性体が変形してコンクリート体の表面の凹凸に食い込む。よって、ローラ上に載せた上側主筋を押した場合に、移動治具の位置や姿勢がずれるのを防止して、上側主筋を円滑に移動できる。上側主筋を本願発明の移動治具上で移動させればよいので、少人数かつ短時間で配筋作業を行うことができる。
【図面の簡単な説明】
【００２０】
【図１】本発明の第１実施形態に係る移動治具が適用された施工中の柱梁架構の斜視図である。
【図２】前記実施形態に係る移動治具の斜視図である。
【図３】前記実施形態に係る柱梁架構を構築する手順のフローチャートである。
【図４】本発明の第２実施形態に係る移動治具の斜視図である。
【図５】本発明の第３実施形態に係る移動治具の斜視図である。
【発明を実施するための形態】
【００２１】
本発明者らは、ハーフＰＣａ梁のコンクリート面上にローラ付き台座を設置し、ローラ上にて梁上側主筋を押し出していくことによって、梁上側主筋を少人力で容易に所定位置まで移動できる移動治具を発明した。
【００２２】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る移動治具２０および配筋方法が適用された施工中の柱梁架構１の斜視図である。
この柱梁架構１は、柱２と、この柱２の柱頭部に接合される４本の梁３と、を備える。なお、これら梁３は、それぞれ、ハーフＰＣａ梁１０を用いて構築される。図１では、柱梁架構１が施工中であり、４本の梁３のうち３本のみを表示している。
【００２３】
ハーフＰＣａ梁１０の取り付け手順については、後に詳述するが、４本のハーフＰＣａ梁１０のうち、先行して取り付ける一対のハーフＰＣａ梁１０を、先付け梁１０Ａとし、後から取り付ける一対のハーフＰＣａ梁１０を、後付け梁１０Ｂとする。
先付け梁１０Ａは、互いに対向してつまり一直線上に配置され、後付け梁１０Ｂは、互いに対向してつまり一直線上に配置される。また、先付け梁１０Ａと後付け梁１０Ｂとは、互いに略直交している。
【００２４】
各ハーフＰＣａ梁１０は、梁３の下部をプレキャストコンクリート化したものである。具体的には、ハーフＰＣａ梁１０は、梁３の下部を構成する直方体状のコンクリート体１１と、このコンクリート体１１に打ち込まれた梁３の複数本の下側主筋１２と、下部がコンクリート体１１に打ち込まれた複数本のあばら筋１３と、コンクリート体１１およびあばら筋１３で囲まれた空間に配置された梁３の複数本の上側主筋１４と、を備える。
【００２５】
下側主筋１２および上側主筋１４は、ハーフＰＣａ梁１０の長さ方向に沿って延びている。
あばら筋１３は、ハーフＰＣａ梁１０の長さ方向に沿って所定間隔おきに設けられている。先付け梁１０Ａのあばら筋１３の間隔は、後付け梁１０Ｂのあばら筋１３の間隔よりも広くなっている。
【００２６】
先付け梁１０Ａのコンクリート体１１の上で、かつ、あばら筋１３で囲まれた空間には、移動治具２０があばら筋の内々に載置されている。
移動治具２０を、コンクリート体１１の長手方向の複数個所に配置することができる。また、移動治具２０を、コンクリート体１１の幅方向に複数並べて配置することもできる。
【００２７】
移動治具２０の載置位置をコンクリート体１１の幅方向に互いにずらすことで、あばら筋１３の形状や寸法が異なっても、あばら筋１３の内側に配置される上側主筋１４の位置に鉄筋を容易に移動させることができる。移動治具２０の設置位置は、ハーフプレキャスト鉄筋コンクリート梁のコンクリート体１１の上面であれば特に限定されず、どの位置にも移動治具を載置できる。また、移動治具２０を隣接するあばら筋１３同士の間隔内に配置することができ、先付け梁１０Ａのあばら筋１３同士の隙間から容易に出し入れ可能である。
【００２８】
図２は、移動治具２０の斜視図である。
移動治具２０は、上側主筋１４を長さ方向に移動可能に支持するものである。
この移動治具２０は、コンクリート体１１の上面に載置された台座部２１と、上側主筋１４が載置される一対のローラ２２と、台座部２１から上方に延びて各ローラ２２を回転可能に軸支する軸受け部２３と、を備える。
台座部２１の底面には、粘弾性体２４が設けられている。この粘弾性体２４は、ゴム状材やプラスチック樹脂体などであり、台座部２１に接着剤で貼り付けられている。
また、台座部２１と軸受け部２３とは、溶接固定されている。
【００２９】
軸受け部２３は、各ローラについて一対ずつ設けられている。
コンクリート体１１の上面は、目荒しが施されて凹凸が形成されている。台座部２１のコンクリート体１１に接する粘弾性体２４は、このコンクリート体１１の表面の凹凸に食い込んでいる。
以上の移動治具２０によれば、上側主筋１４を図２中白抜き矢印方向に移動すると、ローラ２２が図２中黒矢印方向に回転する。
【００３０】
以下、柱梁架構１を構築する手順について、図３のフローチャートを参照しながら説明する。
【００３１】
ステップＳ１では、図１に示すように、柱２を構築する。
具体的には、柱２に配筋してコンクリートを打設し、さらに、この柱２の柱頭部のコンクリート体にハーフＰＣａ梁１０を支持するための受け部材４を取り付ける。
【００３２】
ステップＳ２では、図１に示すように、一対の先付け梁１０Ａを用意し、この先付け梁１０Ａの上側主筋１４を内側に収納する。
具体的には、先付け梁１０ＡであるハーフＰＣａ梁１０のコンクリート体１１の上面に、移動治具２０を、２個で１組として、長手方向に複数組載置し、次に、移動治具２０のローラ２２上に上側主筋１４を載置する。次に、上側主筋１４を移動して、ハーフＰＣａ梁１０Ａの柱２側の端面よりも内側に引っ込めて収納しておく。
各移動治具２０の幅寸法は、コンクリート体１１の幅の半分をカバーするように設定されている。
【００３３】
ステップＳ３では、図１に示すように、柱２の柱頭部に、一対の先付け梁１０Ａを取り付ける。
【００３４】
具体的には、先付け梁１０ＡであるハーフＰＣａ梁１０をクレーン等で吊り上げて、このハーフＰＣａ梁１０の柱２側の端部を、受け部材４の上に載せて支持させる。このとき、上側主筋１４をハーフＰＣａ梁１０の柱２側の端面よりも内側に収納しているので、この上側主筋１４は柱２のパネルゾーンから退避している。
次に、これら一対の先付け梁１０Ａの下側主筋１２同士を、機械式継手１５で接合する。
【００３５】
ステップＳ４では、図１に示すように、柱２の柱頭部に、一対の後付け梁１０Ｂを取り付ける。
具体的には、図１に示すように、各ハーフＰＣａ梁１０Ｂをクレーン等で吊り上げて、このハーフＰＣａ梁１０Ｂの柱２側の端部を、受け部材４の上に載せて支持させる。
【００３６】
ここで、先付け梁であるハーフＰＣａ梁１０Ａの上側主筋１４を柱２のパネルゾーンから退避させておいたので、このハーフＰＣａ梁１０Ａの上側主筋１４は、後付け梁であるハーフＰＣａ梁１０Ｂの下側主筋に干渉しない。
【００３７】
ステップＳ５では、先付け梁１０Ａの上側主筋１４を移動する。
すなわち、先付け梁１０ＡであるハーフＰＣａ梁１０の上側主筋１４を移動して、ハーフＰＣａ梁１０の柱２側の端面よりも外側に突出させて、柱２のパネルゾーンに配筋し、これら上側主筋１４同士を、機械式継手で接合する。
同様に、後付け梁１０Ｂの下側主筋１２同士および上側主筋１４同士も、機械式継手で接合する。
【００３８】
本実施形態によれば、以下のような効果がある。
（１）移動治具２０を先付け梁１０Ａのコンクリート体１１の上に載置して、この移動治具２０のローラ２２上に上側主筋１４を載せる。そして、この上側主筋１４を人手で水平方向に押すと、ローラ２２が回転するので、上側主筋１４を少ない労力で容易に移動できる。上側主筋１４は、配筋済みのあばら筋１３を損傷することなく、コンクリート体１１上に載置したローラ２２上を移動させることができる。
【００３９】
ここで、台座部２１のコンクリート体１１に接する部分を粘弾性体２４とした。凹凸の大きいコンクリート体１１の上面に台座部２１を載置すると、粘弾性体２４が変形してコンクリート体１１の表面の凹凸に食い込む。よって、ローラ２２上に載せた上側主筋１４を押した場合に、移動治具２０の位置や姿勢がずれるのを防止して、上側主筋１４を円滑に移動できる。
【００４０】
移動治具２０をコンクリート体１１の上面に載置し、この移動治具２０のローラ２２上に上側主筋１４を載せるだけでよいので、移動治具２０は、あばら筋１３の形状や寸法が異なる種々の梁に対応可能である。
【００４１】
〔第２実施形態〕
図４は、本発明の第２実施形態に係る移動治具２０Ａの斜視図である。
本実施形態では、軸受け部２３がローラ２２の上面よりも高い位置まで延びて、主筋規制部２３Ａとなっている点が、第１実施形態と異なる。
【００４２】
本実施形態によれば、上述の（１）の効果に加えて、以下のような効果がある。
（２）軸受け部２３をローラ２２の上面よりも高い位置まで延長して主筋規制部２３Ａとしたので、主筋規制部２３Ａが上側主筋１４の側面を押さえて、上側主筋１４がローラ２２上から脱落するのを防止できる。
【００４３】
〔第３実施形態〕
図５は、本発明の第３実施形態に係る移動治具２０Ｂの斜視図である。
本実施形態では、各ローラ２２には、このローラ２２の回転方向に沿って２つの溝２５が形成されている点が、第１実施形態と異なる。
【００４４】
本実施形態によれば、上述の（１）の効果に加えて、以下のような効果がある。
（３）ローラ２２に溝２５を設けたので、ローラ２２上の上側主筋１４を溝２５に嵌め込んだ状態で移動することで、上側主筋１４の移動を溝２５がガイドして、上側主筋１４がローラ２２上から脱落するのを防止できる。
【００４５】
なお、本発明は前記実施形態に限定されるものではなく、本発明の目的を達成できる範囲での変形、改良等は本発明に含まれるものである。本発明の第１実施形態から第３実施形態では、台座部２１設けるローラ２２を複数としたが、これに限らず、台座部２１に設けるローラを単一としてもよい。
【符号の説明】
【００４６】
１…柱梁架構
２…柱
３…梁
４…受け部材
１０…ＰＣａ梁
１０Ａ…先付け梁であるＰＣａ梁
１０Ｂ…後付け梁であるＰＣａ梁
１１…コンクリート体
１２…下側主筋
１３…あばら筋
１４…上側主筋
１５…機械式継手
２０、２０Ａ、２０Ｂ…移動治具
２１…台座部
２２…ローラ
２３…軸受け部
２３Ａ…主筋規制部
２４…粘弾性体
２５…溝
【図１】
0006482201.tif 000002
【図２】
0006482201.tif 000003
【図３】
0006482201.tif 000004
【図４】
0006482201.tif 000005
【図５】
0006482201.tif 000006